(57)【要約】【課題】フロント領域に貨幣処理機が設置された場合に、従来のフロント領域に設置される貨幣釣銭機として使用するとともに、従来のバックヤード領域に設置される出納機として使用することができる貨幣処理機および貨幣処理システムを提供する。【解決手段】取引に伴う釣銭としての貨幣を払い出す貨幣処理機（例えば、貨幣入出金機１００）は、収納されている貨幣を繰出可能な収納繰出部１３４、１３６と、店舗の売上金として回収される貨幣を収納する回収部（例えば、回収カセット１４０）とを備えている。【選択図】図３
2018101188.tif 000002
【特許請求の範囲】
【請求項１】
取引に伴う釣銭としての貨幣を払い出す貨幣処理機であって、
収納されている貨幣を繰出可能な収納繰出部と、
店舗の売上金として回収される貨幣を収納する回収部と、
を備えた、貨幣処理機。
【請求項２】
取引に伴う貨幣を筐体の外部から内部に投入するための投入部と、
収納されている貨幣を繰出可能な貨幣収納カセットが着脱自在に装着されるカセット装着部と、
前記カセット装着部に装着されている前記貨幣収納カセットから貨幣を繰り出して前記収納繰出部または前記回収部に送るか、前記収納繰出部から貨幣を繰り出して前記カセット装着部に装着されている前記貨幣収納カセットに送る第１処理、および前記投入部により前記筐体の内部に投入された貨幣を前記収納繰出部または前記回収部に送る第２処理のうちどちらの処理を優先して行うかを設定する第１設定手段と、
を更に備えた、請求項１記載の貨幣処理機。
【請求項３】
前記第１設定手段により前記第１処理および前記第２処理のうち一方の処理が優先して行われることが設定されている場合は、優先して行われることが設定されていない処理が行われている間に優先して行われることが設定されている処理を割り込ませることができるようになっている、請求項２記載の貨幣処理機。
【請求項４】
前記第２処理は、外部から前記貨幣処理機に送られた所定の入金処理に係る指令に基づいて行われるようになっており、
前記第１設定手段により前記第２処理を優先して行うことが設定されている場合には、前記第１処理が行われている間に、外部から前記貨幣処理機に所定の入金処理に係る指令が送られると、前記第１処理が中断されて前記第２処理が行われる、請求項３記載の貨幣処理機。
【請求項５】
貨幣を筐体の内部から外部に投出するための投出部と、
収納されている貨幣を繰出可能な貨幣収納カセットが着脱自在に装着されるカセット装着部と、
前記カセット装着部に装着されている前記貨幣収納カセットから貨幣を繰り出して前記収納繰出部または前記回収部に送るか、前記収納繰出部から貨幣を繰り出して前記カセット装着部に装着されている前記貨幣収納カセットに送る第１処理、および前記収納繰出部から貨幣を繰り出して前記投出部に送る第３処理のうちどちらの処理を優先して行うかを設定する第２設定手段と、
を更に備えた、請求項１乃至４のいずれか一項に記載の貨幣処理機。
【請求項６】
前記第２設定手段により前記第１処理および前記第３処理のうち一方の処理が優先して行われることが設定されている場合は、優先して行われることが設定されていない処理が行われている間に、優先して行われることが設定されていない処理が行われている間に優先して行われることが設定されている処理を割り込ませることができるようになっている、請求項５記載の貨幣処理機。
【請求項７】
前記第３処理は、外部から前記貨幣処理機に送られた所定の出金処理に係る指令に基づいて行われるようになっており、
前記第２設定手段により前記第３処理を優先して行うことが設定されている場合には、前記第１処理が行われている間に、外部から前記貨幣処理機に所定の入金処理に係る指令が送られると、前記第１処理が中断されて前記第３処理が行われる、請求項６記載の貨幣処理機。
【請求項８】
前記第２設定手段は、前記第１処理における前記収納繰出部から貨幣を繰り出して前記カセット装着部に装着されている前記貨幣収納カセットに送る処理、および前記第３処理を並行して行うことを設定することができるようになっている、請求項５乃至７のいずれか一項に記載の貨幣処理機。
【請求項９】
優先して行われることが設定されている処理の割り込みが行われることによって前記第１処理が中断されたときに、中断前の前記第１処理において前記カセット装着部に装着されている前記貨幣収納カセットから貨幣が繰り出されて前記収納繰出部または前記回収部に送られていた場合には、前記貨幣収納カセットが前記カセット装着部から取り外し不可となる、請求項２乃至８のいずれか一項に記載の貨幣処理機。
【請求項１０】
優先して行われることが設定されている処理の割り込みが行われることによって前記第１処理が中断されたときに、中断前の前記第１処理において前記収納繰出部から貨幣が繰り出されて前記カセット装着部に装着されている前記貨幣収納カセットに送られていた場合には、前記貨幣収納カセットが前記カセット装着部から取り外し可能となる、請求項２乃至９のいずれか一項に記載の貨幣処理機。
【請求項１１】
前記貨幣収納カセットには記録媒体が設けられており、前記カセット装着部に装着されている前記貨幣収納カセットの前記記録媒体に情報を書き込む書込部が前記カセット装着部に設けられており、
優先して行われることが設定されている処理の割り込みが行われることによって前記第１処理が中断されたときに、中断前の前記第１処理において前記カセット装着部に装着されている前記貨幣収納カセットに送られた貨幣に係る情報が前記書込部により前記記録媒体に書き込まれるようになっている、請求項１０記載の貨幣処理機。
【請求項１２】
収納されている貨幣を繰出可能な収納繰出部、取引に伴う貨幣を筐体の外部から内部に投入するための投入部、収納されている貨幣を繰出可能な貨幣収納カセットが着脱自在に装着されるカセット装着部、および店舗の売上金として回収される貨幣を収納する回収部を有しており、取引に伴う釣銭としての貨幣を払い出す貨幣処理機と、
前記貨幣処理機に通信可能に接続され、当該貨幣処理機の管理を行う管理装置と、
を備えた貨幣処理システムであって、
前記貨幣処理機において前記カセット装着部に装着されている前記貨幣収納カセットから貨幣を繰り出して前記収納繰出部または前記回収部に送るか、前記収納繰出部から貨幣を繰り出して前記カセット装着部に装着されている前記貨幣収納カセットに送る第１処理、および前記貨幣処理機において前記投入部により前記筐体の内部に投入された貨幣を前記収納繰出部または前記回収部に送る第２処理のうちどちらの処理を優先して行うかを設定する第１設定手段を備えた、貨幣処理システム。
【請求項１３】
前記第２処理は、前記管理装置から前記貨幣処理機に送られた所定の入金処理に係る指令に基づいて行われるようになっており、
前記第１設定手段により前記第２処理を優先して行うことが設定されている場合には、前記第１処理が行われている間に、前記管理装置から前記貨幣処理機に所定の入金処理に係る指令が送られると、前記第１処理が中断されて前記第２処理が行われる、請求項１２記載の貨幣処理システム。
【請求項１４】
収納されている貨幣を繰出可能な収納繰出部、貨幣を筐体の内部から外部に投出するための投出部、収納されている貨幣を繰出可能な貨幣収納カセットが着脱自在に装着されるカセット装着部、および店舗の売上金として回収される貨幣を収納する回収部を有しており、取引に伴う釣銭としての貨幣を払い出す貨幣処理機と、
前記貨幣処理機に通信可能に接続され、当該貨幣処理機の管理を行う管理装置と、
を備えた貨幣処理システムであって、
前記貨幣処理機において前記カセット装着部に装着されている前記貨幣収納カセットから貨幣を繰り出して前記収納繰出部または前記回収部に送るか、前記収納繰出部から貨幣を繰り出して前記カセット装着部に装着されている前記貨幣収納カセットに送る第１処理、および前記貨幣処理機において前記収納繰出部から貨幣を繰り出して前記投出部に送る第３処理のうちどちらの処理を優先して行うかを設定する第２設定手段を備えた、貨幣処理システム。
【請求項１５】
前記第３処理は、前記管理装置から前記貨幣処理機に送られた所定の出金処理に係る指令に基づいて行われるようになっており、
前記第２設定手段により前記第３処理を優先して行うことが設定されている場合には、前記第１処理が行われている間に、前記管理装置から前記貨幣処理機に所定の入金処理に係る指令が送られると、前記第１処理が中断されて前記第３処理が行われる、請求項１４記載の貨幣処理システム。
【発明の詳細な説明】
【技術分野】
【０００１】
本発明は、紙幣や硬貨等の貨幣の処理を行う貨幣処理機およびこのような貨幣処理機を備えた貨幣処理システムに関する。
【背景技術】
【０００２】
スーパーマーケットやコンビニエンスストア等の店舗において、商品棚が設置されるフロント領域の精算所には貨幣釣銭機が設置されるとともに顧客が立ち入ることができない出納室等のバックヤード領域には出納機が設置されるようになっている。ここで、フロント領域の精算所に設置される貨幣釣銭機は、商品と引き換えに顧客から店員に手渡された貨幣の入金処理を行うとともに、釣銭としての貨幣の出金処理を行うことができるようになっている。また、バックヤード領域に設置される出納機は、貨幣釣銭機から回収された売上金としての貨幣の入金処理を行うとともに、貨幣釣銭機に補充されるべき釣銭補充金としての貨幣の出金処理を行うようになっている。フロント領域に貨幣釣銭機が設置されるとともにバックヤード領域に出納機が設置されるような貨幣処理システム（有価媒体処理システム）として、例えば特許文献１等に開示されるものが従来から知られている。
【先行技術文献】
【特許文献】
【０００３】
【特許文献１】特開２０１６−３８８３４号公報
【発明の概要】
【発明が解決しようとする課題】
【０００４】
特許文献１に開示される貨幣処理システム（有価媒体処理システム）では、バックヤード領域に出納機を設置するためのスペースが必要になるため、バックヤード領域の面積が小さい店舗には出納機を設置することができないという問題があった。
【０００５】
本発明は、このような点を考慮してなされたものであり、フロント領域に設置された場合に、従来のフロント領域に設置される貨幣釣銭機として使用するとともに、従来のバックヤード領域に設置される出納機として使用することができる貨幣処理機および貨幣処理システムを提供することを目的とする。
【課題を解決するための手段】
【０００６】
本発明の貨幣処理機は、取引に伴う釣銭としての貨幣を払い出す貨幣処理機であって、収納されている貨幣を繰出可能な収納繰出部と、店舗の売上金として回収される貨幣を収納する回収部と、を備えたことを特徴とする。
【０００７】
このような貨幣処理機によれば、店舗の売上金として回収される貨幣を収納する回収部が設けられているため、フロント領域に設置された場合に、従来のフロント領域に設置される貨幣釣銭機として使用するとともに、従来のバックヤード領域に設置される出納機として使用することができる。
【０００８】
本発明の貨幣処理機は、取引に伴う貨幣を筐体の外部から内部に投入するための投入部と、収納されている貨幣を繰出可能な貨幣収納カセットが着脱自在に装着されるカセット装着部と、前記カセット装着部に装着されている前記貨幣収納カセットから貨幣を繰り出して前記収納繰出部または前記回収部に送るか、前記収納繰出部から貨幣を繰り出して前記カセット装着部に装着されている前記貨幣収納カセットに送る第１処理、および前記投入部により前記筐体の内部に投入された貨幣を前記収納繰出部または前記回収部に送る第２処理のうちどちらの処理を優先して行うかを設定する第１設定手段と、を更に備えていてもよい。
【０００９】
この場合、前記第１設定手段により前記第１処理および前記第２処理のうち一方の処理が優先して行われることが設定されている場合は、優先して行われることが設定されていない処理が行われている間に優先して行われることが設定されている処理を割り込ませることができるようになっていてもよい。
【００１０】
また、前記第２処理は、外部から前記貨幣処理機に送られた所定の入金処理に係る指令に基づいて行われるようになっており、前記第１設定手段により前記第２処理を優先して行うことが設定されている場合には、前記第１処理が行われている間に、外部から前記貨幣処理機に所定の入金処理に係る指令が送られると、前記第１処理が中断されて前記第２処理が行われるようになっていてもよい。
【００１１】
本発明の貨幣処理機は、貨幣を筐体の内部から外部に投出するための投出部と、収納されている貨幣を繰出可能な貨幣収納カセットが着脱自在に装着されるカセット装着部と、前記カセット装着部に装着されている前記貨幣収納カセットから貨幣を繰り出して前記収納繰出部または前記回収部に送るか、前記収納繰出部から貨幣を繰り出して前記カセット装着部に装着されている前記貨幣収納カセットに送る第１処理、および前記収納繰出部から貨幣を繰り出して前記投出部に送る第３処理のうちどちらの処理を優先して行うかを設定する第２設定手段と、を更に備えていてもよい。
【００１２】
この場合、前記第２設定手段により前記第１処理および前記第３処理のうち一方の処理が優先して行われることが設定されている場合は、優先して行われることが設定されていない処理が行われている間に、優先して行われることが設定されていない処理が行われている間に優先して行われることが設定されている処理を割り込ませることができるようになっていてもよい。
【００１３】
また、前記第３処理は、外部から前記貨幣処理機に送られた所定の出金処理に係る指令に基づいて行われるようになっており、前記第２設定手段により前記第３処理を優先して行うことが設定されている場合には、前記第１処理が行われている間に、外部から前記貨幣処理機に所定の入金処理に係る指令が送られると、前記第１処理が中断されて前記第３処理が行われてもよい。
【００１４】
また、前記第２設定手段は、前記第１処理における前記収納繰出部から貨幣を繰り出して前記カセット装着部に装着されている前記貨幣収納カセットに送る処理、および前記第３処理を並行して行うことを設定することができるようになっていてもよい。
【００１５】
本発明の貨幣処理機においては、優先して行われることが設定されている処理の割り込みが行われることによって前記第１処理が中断されたときに、中断前の前記第１処理において前記カセット装着部に装着されている前記貨幣収納カセットから貨幣が繰り出されて前記収納繰出部または前記回収部に送られていた場合には、前記貨幣収納カセットが前記カセット装着部から取り外し不可となっていてもよい。
【００１６】
本発明の貨幣処理機においては、優先して行われることが設定されている処理の割り込みが行われることによって前記第１処理が中断されたときに、中断前の前記第１処理において前記収納繰出部から貨幣が繰り出されて前記カセット装着部に装着されている前記貨幣収納カセットに送られていた場合には、前記貨幣収納カセットが前記カセット装着部から取り外し可能となっていてもよい。
【００１７】
この場合、前記貨幣収納カセットには記録媒体が設けられており、前記カセット装着部に装着されている前記貨幣収納カセットの前記記録媒体に情報を書き込む書込部が前記カセット装着部に設けられており、優先して行われることが設定されている処理の割り込みが行われることによって前記第１処理が中断されたときに、中断前の前記第１処理において前記カセット装着部に装着されている前記貨幣収納カセットに送られた貨幣に係る情報が前記書込部により前記記録媒体に書き込まれるようになっていてもよい。
【００１８】
本発明の貨幣処理システムは、収納されている貨幣を繰出可能な収納繰出部、取引に伴う貨幣を筐体の外部から内部に投入するための投入部、収納されている貨幣を繰出可能な貨幣収納カセットが着脱自在に装着されるカセット装着部、および店舗の売上金として回収される貨幣を収納する回収部を有しており、取引に伴う釣銭としての貨幣を払い出す貨幣処理機と、前記貨幣処理機に通信可能に接続され、当該貨幣処理機の管理を行う管理装置と、を備えた貨幣処理システムであって、前記貨幣処理機において前記カセット装着部に装着されている前記貨幣収納カセットから貨幣を繰り出して前記収納繰出部または前記回収部に送るか、前記収納繰出部から貨幣を繰り出して前記カセット装着部に装着されている前記貨幣収納カセットに送る第１処理、および前記貨幣処理機において前記投入部により前記筐体の内部に投入された貨幣を前記収納繰出部または前記回収部に送る第２処理のうちどちらの処理を優先して行うかを設定する第１設定手段を備えたことを特徴とする。
【００１９】
このような貨幣処理システムによれば、店舗の売上金として回収される貨幣を収納する回収部が貨幣処理機に設けられているため、貨幣処理機がフロント領域に設置された場合に、従来のフロント領域に設置される貨幣釣銭機として使用するとともに、従来のバックヤード領域に設置される出納機として使用することができる。また、第１処理および第２処理のうちどちらの処理を優先して行うかを設定する第１設定手段が設けられているため、例えば第１設定手段により第２処理を優先して行うことが設定されているときには、貨幣処理機を出納機として使用している途中で取引に伴う貨幣の入金処理を行うために貨幣釣銭機として使用しなければならなくなった場合に出納機の機能を中断して貨幣釣銭機としての機能を発揮させることができるようになるため、顧客を長時間待たせてしまうことを防止することができるようになる。
【００２０】
また、前記第２処理は、前記管理装置から前記貨幣処理機に送られた所定の入金処理に係る指令に基づいて行われるようになっており、前記第１設定手段により前記第２処理を優先して行うことが設定されている場合には、前記第１処理が行われている間に、前記管理装置から前記貨幣処理機に所定の入金処理に係る指令が送られると、前記第１処理が中断されて前記第２処理が行われるようになっていてもよい。
【００２１】
本発明の貨幣処理システムは、収納されている貨幣を繰出可能な収納繰出部、貨幣を筐体の内部から外部に投出するための投出部、収納されている貨幣を繰出可能な貨幣収納カセットが着脱自在に装着されるカセット装着部、および店舗の売上金として回収される貨幣を収納する回収部を有しており、取引に伴う釣銭としての貨幣を払い出す貨幣処理機と、前記貨幣処理機に通信可能に接続され、当該貨幣処理機の管理を行う管理装置と、を備えた貨幣処理システムであって、前記貨幣処理機において前記カセット装着部に装着されている前記貨幣収納カセットから貨幣を繰り出して前記収納繰出部または前記回収部に送るか、前記収納繰出部から貨幣を繰り出して前記カセット装着部に装着されている前記貨幣収納カセットに送る第１処理、および前記貨幣処理機において前記収納繰出部から貨幣を繰り出して前記投出部に送る第３処理のうちどちらの処理を優先して行うかを設定する第２設定手段を備えたことを特徴とする。
【００２２】
このような貨幣処理システムによれば、店舗の売上金として回収される貨幣を収納する回収部が貨幣処理機に設けられているため、貨幣処理機がフロント領域に設置された場合に、従来のフロント領域に設置される貨幣釣銭機として使用するとともに、従来のバックヤード領域に設置される出納機として使用することができる。また、第１処理および第３処理のうちどちらの処理を優先して行うかを設定する第２設定手段が設けられているため、例えば第２設定手段により第３処理を優先して行うことが設定されているときには、貨幣処理機を出納機として使用している途中で取引に伴う貨幣の出金処理を行うために貨幣釣銭機として使用しなければならなくなった場合に出納機の機能を中断して貨幣釣銭機としての機能を発揮させることができるようになるため、顧客を長時間待たせてしまうことを防止することができるようになる。
【００２３】
また、前記第３処理は、前記管理装置から前記貨幣処理機に送られた所定の出金処理に係る指令に基づいて行われるようになっており、前記第２設定手段により前記第３処理を優先して行うことが設定されている場合には、前記第１処理が行われている間に、前記管理装置から前記貨幣処理機に所定の入金処理に係る指令が送られると、前記第１処理が中断されて前記第３処理が行われるようになっていてもよい。
【発明の効果】
【００２４】
本発明の貨幣処理機および貨幣処理システムによれば、フロント領域に貨幣処理機が設置された場合に、従来のフロント領域に設置される貨幣釣銭機として使用するとともに、従来のバックヤード領域に設置される出納機として使用することができる。
【図面の簡単な説明】
【００２５】
【図１】本発明の実施の形態における貨幣入出金機が設置されている店舗の構成を概略的に説明するための概略構成図である。
【図２】図１に示す貨幣入出金機の外観を示す斜視図である。
【図３】図２に示す貨幣入出金機における紙幣処理ユニットの内部構成を側方から見たときの構成図である。
【図４】図２に示す貨幣入出金機における硬貨処理ユニットの内部構成を上方から見たときの構成図である。
【図５】図２に示す貨幣入出金機における包装硬貨収納ユニットの引出部の構成を示す斜視図である。
【図６】図２に示す貨幣入出金機における制御系の構成を示す機能ブロック図である。
【図７】図１に示す貨幣釣銭機およびＰＯＳレジスタの外観を示す斜視図である。
【図８】図１に示す貨幣入出金機のカセット装着部および貨幣釣銭機のカセット装着部にそれぞれ着脱自在に装着可能となっている収納カセットの外観を示す斜視図である。
【図９】図２に示す貨幣入出金機において、カセット装着部に装着されている収納カセットから店舗の売上金としての紙幣を繰り出して回収カセットに送る処理が行われている途中で、紙幣受入部により筐体の内部に投入された紙幣を回収カセットに送る処理を割り込ませるときの動作を示すフローチャートである。
【図１０】図２に示す貨幣入出金機において、釣銭補充金としての紙幣を収納繰出部から繰り出してカセット装着部に装着されている収納カセットに送る処理が行われている途中で、収納繰出部から紙幣を繰り出して紙幣払出部に送る処理を割り込ませるときの動作を示すフローチャートである。
【発明を実施するための形態】
【００２６】
以下、図面を参照して本発明の実施の形態について説明する。図１乃至図１０は、本実施の形態による貨幣入出金機およびこのような貨幣入出金機を備えた貨幣処理システムを示す図である。このうち、図１は、本実施の形態における貨幣入出金機が設置されている店舗の構成を概略的に説明するための概略構成図であり、図２は、図１に示す貨幣入出金機の外観を示す斜視図である。また、図３乃至図５は、ぞれぞれ、図２に示す貨幣入出金機における紙幣処理ユニット、硬貨処理ユニットおよび包装硬貨収納ユニットの構成を示す図である。また、図６は、図２に示す貨幣入出金機における制御系の構成を示す機能ブロック図である。また、図７は、図１に示す貨幣釣銭機およびＰＯＳレジスタの外観を示す斜視図であり、図８は、図１に示す貨幣入出金機のカセット装着部および貨幣釣銭機のカセット装着部にそれぞれ着脱自在に装着可能となっている収納カセットの外観を示す斜視図である。また、図９および図１０は、それぞれ、図２に示す貨幣入出金機においてカセット装着部に装着されている収納カセットから店舗の売上金としての紙幣を繰り出したり当該収納カセットに釣銭補充金としての紙幣を送ったりする処理が行われている途中で紙幣の入金処理や出金処理を割り込ませるときの動作を示すフローチャートである。
【００２７】
図１に示すように、コンビニエンスストアやスーパーマーケット等の商業施設の店舗４２０において、顧客が立ち入ることができるフロント領域には様々な商品が陳列された商品棚が設置されているとともに、このフロント領域の精算所には貨幣釣銭機２００やＰＯＳレジスタ２９０が設置されている。顧客がこのような精算所で精算処理を行う際に、店員は、顧客から受け取った商品の代金としての貨幣を貨幣釣銭機２００に入金したり、釣銭としての貨幣を貨幣釣銭機２００から出金して顧客に返却したりするようになっている。また、商品の返品時には、返品される商品の代金としての貨幣が貨幣釣銭機２００から出金されるようになる。また、ＰＯＳレジスタ２９０により、顧客が購入した商品に係る情報や貨幣釣銭機２００に収納されている貨幣に係る情報等の管理が行われるようになっている。また、このような店舗４２０のフロント領域におけるサービスカウンターには、貨幣の入金処理や出金処理を行う貨幣入出金機１００が設置されている。このような貨幣入出金機１００は、貨幣釣銭機２００から回収された店舗の売上金としての貨幣の入金処理を行うことができるようになっている。また、貨幣釣銭機２００において釣銭としての貨幣が不足する場合には、貨幣入出金機１００から釣銭補充金としての貨幣を出金し、この貨幣入出金機１００から出金された釣銭補充金としての貨幣を貨幣釣銭機２００に補充することができるようになっている。また、本実施の形態では、店舗４２０のフロント領域におけるサービスカウンターに設置される貨幣入出金機１００は、顧客から受け取った商品の代金としての貨幣の入金処理や、釣銭や返品される商品の代金としての貨幣の出金処理も行うことができるようになっている。また、サービスカウンターにおいて、顧客が購入しようとする商品の精算処理を行うことができるよう、当該サービスカウンターには貨幣入出金機１００とともに上述したＰＯＳレジスタ２９０と同様の構成のＰＯＳレジスタ１９０が設置されるようになっており、これらの貨幣入出金機１００およびＰＯＳレジスタ１９０は無線ＬＡＮまたは有線ＬＡＮにより通信可能に接続されている。本実施の形態では、このような貨幣入出金機１００およびＰＯＳレジスタ１９０を組み合わせることにより貨幣処理システム１が構成されている。また、ＰＯＳレジスタ１９０は、貨幣入出金機１００の管理を行う管理装置として機能するようになっている。
【００２８】
また、図１に示すように、警送会社４１０の警備員等により、貨幣入出金機１００から、紙幣や硬貨が収納されている回収カセット１４０、１７０（後述）が取り出され、これらの回収カセット１４０、１７０ごと紙幣や硬貨が貨幣入出金機１００から警送会社に回収されるようになっている。また、警送会社４１０の警備員は、貨幣釣銭機２００で用いられる釣銭準備金としての貨幣を警送会社４１０から店舗４２０に運搬し、この店舗４２０のフロント領域に設けられた貨幣入出金機１００に釣銭準備金としての貨幣を入金するようになっている。
【００２９】
また、図１に示すように、貨幣入出金機１００はＬＡＮ４０４を介して店舗４２０の外部に設けられたターミナル４００やユーザーサーバー４０２に通信可能に接続されており、これらのターミナル４００やユーザーサーバー４０２により、貨幣入出金機１００における貨幣の在高や、警送会社４１０の警備員等や店舗４２０の店員等の操作者の情報が管理されるようになっている。
【００３０】
次に、貨幣入出金機１００の構成の詳細について図２乃至図６を用いて説明する。
【００３１】
図２等に示すように、本実施の形態による貨幣入出金機１００は、略直方体形状の筐体１０１を備えており、この筐体１０１の内部には、紙幣の入金処理および出金処理を行う紙幣処理ユニット１１０、硬貨の入金処理および出金処理を行う硬貨処理ユニット１５０、および包装硬貨（同一金種の硬貨を一定枚数（例えば、２０枚や５０枚）だけ棒状にまとめてフィルムや包装紙等により包装したもの）を収納する包装硬貨収納ユニット１８０がそれぞれ収容されている。図２に示すように、紙幣処理ユニット１１０および硬貨処理ユニット１５０は貨幣入出金機１００を手前側から見て左右に並ぶよう配置されており、これらの紙幣処理ユニット１１０および硬貨処理ユニット１５０の下方に包装硬貨収納ユニット１８０が配置されている。
【００３２】
図２および図３に示すように、紙幣処理ユニット１１０は、筐体１０１の前面側の右側領域に設けられた紙幣受入部１２０と、筐体１０１の前面側において紙幣受入部１２０の下方に設けられた紙幣払出部１２２と、筐体１０１の内部で紙幣を１枚ずつ搬送する搬送部１３０と、筐体１０１の内部で紙幣を収納するとともに収納されている紙幣を繰出可能な複数の収納繰出部１３４、１３６とを備えている。なお、図３において、筐体１０１の右側の側面が紙幣処理ユニット１１０の手前側の面となっており、図３における左向きの方向が紙幣処理ユニット１１０の奥行き方向となっている。図３に示すように、搬送部１３０は、筐体１０１の上部における中央位置に配置された周回搬送部１３０ａおよび複数の接続搬送部１３０ｂから構成されている。また、紙幣受入部１２０、紙幣払出部１２２、出金リジェクト部１２４、後述する収納カセット３００を着脱自在に装着可能なカセット装着部１２６、回収カセット１４０および２つの収納繰出部１３４、１３６が、それぞれ、周回搬送部１３０ａを取り囲むよう配置されている。また、図３に示すように、複数の接続搬送部１３０ｂの各々により、紙幣受入部１２０、紙幣払出部１２２、出金リジェクト部１２４、カセット装着部１２６、回収カセット１４０および２つの収納繰出部１３４、１３６の各々と、周回搬送部１３０ａとの間をそれぞれ接続するようになっている。また、周回搬送部１３０ａには識別部１３２が設けられており、この識別部１３２は、周回搬送部１３０ａにより搬送される紙幣の金種、真偽、正損、表裏、新旧、搬送状態等の識別を行うようになっている。
【００３３】
周回搬送部１３０ａは、図３における時計回りの方向および反時計回りの方向の両方向に紙幣を１枚ずつ搬送することができるようになっている。また、搬送部１３０において、周回搬送部１３０ａと各接続搬送部１３０ｂとの間で紙幣の搬送経路を切り換える経路切換部（図示せず）が、周回搬送部１３０ａに沿って配置されている。
【００３４】
図２および図３に示すように、筐体１０１の前面には、紙幣受入部１２０の紙幣受入口１２０ａと、紙幣払出部１２２の紙幣取出口１２２ａとがそれぞれ設けられている。また、カセット装着部１２６の前面側には扉１２６ａが設けられており、この扉１２６ａを開くことにより収納カセット３００をカセット装着部１２６に装着させたりこのカセット装着部１２６から収納カセット３００を取り出したりすることができるようになっている。また、図３に示すように、カセット装着部１２６には、当該カセット装着部１２６に収納カセット３００が装着されたときにこのことを検知する光センサ等のカセット装着検知部１２７が設けられている。また、カセット装着部１２６は、当該カセット装着部１２６に装着された収納カセット３００を筐体１０１の内部でロックするロック機構１２６ｂを有している（図６参照）。カセット装着部１２６に装着された収納カセット３００がロック機構１２６ｂにより筐体１０１の内部でロックされると、操作者は筐体１０１から収納カセット３００を取り出すことができなくなる。また、図６に示すように、カセット装着部１２６には、当該カセット装着部１２６に装着された収納カセット３００に設けられている記録媒体３０４（後述）に様々な情報を書き込む書込部１２８および当該記録媒体３０４から様々な情報を読み取る読取部１２９がそれぞれ設けられている。書込部１２８により記録媒体３０４に書き込まれる情報や読取部１２９により記録媒体３０４から読み取られる情報の詳細については後述する。
【００３５】
紙幣受入部１２０には、紙幣受入口１２０ａを介して当該紙幣受入部１２０に投入された紙幣を検知する光センサ等の紙幣検知センサ１２０ｂが設けられている。また、紙幣受入部１２０には紙幣繰出機構１２１が設けられており、紙幣受入口１２０ａを介して当該紙幣受入部１２０に１枚あるいは複数枚の紙幣が投入されたことが紙幣検知センサ１２０ｂにより検知されると、紙幣繰出機構１２１が駆動されることにより紙幣が接続搬送部１３０ｂを介して周回搬送部１３０ａ側へ１枚ずつ繰り出されるようになっている。
【００３６】
紙幣払出部１２２は、各収納繰出部１３４、１３６から周回搬送部１３０ａに繰り出された紙幣を紙幣取出口１２２ａにより筐体１０１の外部へ投出するようになっている。
【００３７】
出金リジェクト部１２４は、出金処理時において各収納繰出部１３４、１３６から繰り出された紙幣のうち、重送や斜行等の搬送異常により識別部１３２で識別することができない紙幣を出金リジェクト紙幣として収納するようになっている。また、紙幣受入部１２０から筐体１０１の内部に取り込まれた紙幣のうち、入金処理時において汚損等により識別部１３２で識別することができない紙幣は入金リジェクト紙幣として紙幣払出部１２２に返却されるようになっている。
【００３８】
各収納繰出部１３４、１３６は、識別部１３２の識別結果に基づいて紙幣を金種別に収納するようになっている。これらの収納繰出部１３４、１３６には、貨幣釣銭機２００への釣銭補充金の紙幣として貨幣入出金機１００から出金されるべき紙幣が収納されるようになっている。具体的には、例えば収納繰出部１３４には千円札が収納され、収納繰出部１３６には五千円札が収納されるようになっている。なお、一万円札は後述する回収カセット１４０に収納されるようになっている。また、各収納繰出部１３４、１３６は、それぞれ紙幣繰出機構１３４ａ、１３６ａを有しており、各収納繰出部１３４、１３６に収納されている紙幣は各紙幣繰出機構１３４ａ、１３６ａにより接続搬送部１３０ｂを介して周回搬送部１３０ａ側へ１枚ずつ繰り出されるようになっている。
【００３９】
筐体１０１の内部における下部領域には回収カセット１４０が収容されており、警送会社４１０により回収されるべき紙幣が回収カセット１４０に収納されるようになっている。具体的には、識別部１３２により識別された紙幣が周回搬送部１３０ａから接続搬送部１３０ｂを経て回収カセット１４０に送られるようになっている。また、回収カセット１４０の前面側には扉１４０ａが設けられており、この扉１４０ａを開くことにより回収カセット１４０を筐体１０１の内部に収容させたり筐体１０１の内部から回収カセット１４０を取り出したりすることができるようになっている。
【００４０】
次に、硬貨処理ユニット１５０の構成について説明する。図２および図４に示すように、硬貨処理ユニット１５０は、筐体１０１の前面側の左側領域に設けられた硬貨受入部１５２と、筐体１０１の前面側において硬貨受入部１５２の下方に設けられた硬貨払出部１６６と、筐体１０１の内部で硬貨を収納するとともに収納されている硬貨を繰出可能な複数の収納繰出部１６０とを備えている。
【００４１】
硬貨受入部１５２は、硬貨投入口を介して受け入れた硬貨を１層１列状態で１枚ずつ筐体１０１内に取り込むようになっている。より詳細には、硬貨受入部１５２には繰出ベルト等からなる硬貨繰出機構１５３（図６参照）が設けられており、硬貨受入部１５２に受け入れられた硬貨を検知するとこの硬貨繰出機構１５３が駆動されることにより当該硬貨繰出機構１５３によって硬貨が筐体１０１の内部に１枚ずつ繰り出されるようになっている。また、図４に示すように、硬貨受入部１５２には、当該硬貨受入部１５２により筐体１０１の内部に繰り出された硬貨を搬送する入金搬送部１５４が接続されている。
【００４２】
図４に示すように、入金搬送部１５４の途中には、硬貨の金種、真偽、正損、表裏、搬送状態等の識別を行う識別部１５６と、第１分岐部１５８とがそれぞれ設けられている。第１分岐部１５８は、識別部１５６による硬貨の識別結果に基づいて、リジェクト硬貨等の、硬貨払出部１６６から払い出されるべき硬貨を入金搬送部１５４から分岐させて出金搬送部１６２へ案内するようになっている。
【００４３】
一方、正常硬貨等の筐体１０１内に収納されるべき硬貨は入金搬送部１５４により各収納繰出部１６０へ搬送されるようになっている。収納繰出部１６０は硬貨を金種別に収納するとともに収納されている硬貨を繰出可能となるよう構成されている。具体的には、例えば日本国で流通している硬貨の６つの金種（５００円硬貨、１００円硬貨、５０円硬貨、１０円硬貨、５円硬貨および１円硬貨）に対応して６つの収納繰出部１６０が設けられており、入金搬送部１５４の上流側（すなわち、図４における下側）から低額順に各収納繰出部１６０に硬貨が金種毎に収納されるようになっている。また、収納繰出部１６０には、当該収納繰出部１６０に収納された硬貨を１枚ずつ出金搬送部１６２に繰り出す硬貨繰出機構（図示せず）が設けられている。
【００４４】
出金搬送部１６２は、収納繰出部１６０から繰り出された硬貨を硬貨払出部１６６へ搬送するようになっている。また、出金搬送部１６２は、第１分岐部１５８により入金搬送部１５４から分岐させられたリジェクト硬貨等を硬貨払出部１６６へ搬送するようになっている。
【００４５】
筐体１０１の内部における下部領域には回収カセット１７０が収容されており、警送会社４１０により回収されるべき硬貨が回収カセット１７０に収納されるようになっている。具体的には、図４に示すように、出金搬送部１６２の途中箇所には第２分岐部１６４が設けられており、当該第２分岐部１６４により出金搬送部１６２から分岐させられた硬貨は回収カセット１７０に送られてこの回収カセット１７０に収納されるようになっている。また、回収カセット１７０の前面側には扉１７０ａが設けられており、この扉１７０ａを開くことにより回収カセット１７０を筐体１０１の内部に収容させたり筐体１０１の内部から回収カセット１７０を取り出したりすることができるようになっている。
【００４６】
次に、包装硬貨収納ユニット１８０の構成について説明する。図５に示すように、包装硬貨収納ユニット１８０は、包装硬貨が金種毎に収納される複数の収納領域１８０ａ〜１８０ｆが設けられた引出部１８２を有しており、当該引出部１８２は貨幣入出金機１００の筐体１０１の内部から手前側に引き出し可能となっている。なお、図５に示すように、各収納領域１８０ａ〜１８０ｆに包装硬貨が収納されたときに当該包装硬貨の長手方向が鉛直方向を向くようになっている。そして、引出部１８２を貨幣入出金機１００の筐体１０１の内部から手前側に引き出すことにより、各収納領域１８０ａ〜１８０ｆに包装硬貨を収納したりこれらの収納領域１８０ａ〜１８０ｆに収納されている包装硬貨を取り出したりすることができるようになっている。また、図６に示すように、包装硬貨収納ユニット１８０は、引出部１８２を筐体１０１の内部にロックするロック機構１８４が設けられており、引出部１８２が筐体１０１の内部にロックされている状態では当該引出部１８２を筐体１０１の内部から手前側に引き出すことができないようになっている。また、包装硬貨収納ユニット１８０には、引出部１８２の各収納領域１８０ａ〜１８０ｆに収納されている包装硬貨の重量を測定する重量計１８６が設けられている。このような重量計１８６により測定される包装硬貨の重量に基づいて、後述する制御部１０２において引出部１８２の各収納領域１８０ａ〜１８０ｆに収納されている包装硬貨の数が検知されるようになっている。
【００４７】
なお、各収納領域１８０ａ〜１８０ｆに収納されている包装硬貨の数を検知するにあたり、重量計１８６により包装硬貨の重量を測定する代わりに、あるいは重量計１８６により包装硬貨の重量を測定することに加えて、ラインセンサまたは磁気センサを用いて各収納領域１８０ａ〜１８０ｆに収納されている包装硬貨の数を検知してもよく、あるいはこれらのラインセンサや磁気センサを組み合わせることにより各収納領域１８０ａ〜１８０ｆに収納されている包装硬貨の数を検知してもよい。また、収納領域１８０ａ〜１８０ｆ毎にラインセンサや磁気センサが設けられていてもよい。
【００４８】
次に、このような貨幣入出金機１００における制御系の構成について図６を用いて説明する。図６に示すように、本実施の形態による貨幣入出金機１００の筐体１０１の内部には制御部１０２が設けられており、当該制御部１０２により紙幣処理ユニット１１０、硬貨処理ユニット１５０および包装硬貨収納ユニット１８０の各々の構成部材が制御されるようになっている。具体的には、制御部１０２には、紙幣処理ユニット１１０の紙幣繰出機構１２１、搬送部１３０、識別部１３２、収納繰出部１３４、１３６（具体的には、紙幣繰出機構１３４ａ、１３６ａ）、カセット装着部１２６（具体的には、ロック機構１２６ｂ）、カセット装着検知部１２７、書込部１２８、読取部１２９等が接続されており、識別部１３２による紙幣の識別情報や、カセット装着検知部１２７による収納カセット３００の検知情報、収納カセット３００に設けられた記録媒体３０４から読取部１２９により読み取られた情報等が制御部１０２に送られるとともに、制御部１０２は紙幣処理ユニット１１０の各構成部材に指令信号を送ることによりこれらの構成部材の制御を行うようになっている。また、制御部１０２には、硬貨処理ユニット１５０の硬貨繰出機構１５３、入金搬送部１５４、識別部１５６、第１分岐部１５８、各収納繰出部１６０、出金搬送部１６２および第２分岐部１６４等が接続されており、識別部１５６による硬貨の識別情報が制御部１０２に送られるとともに、制御部１０２は硬貨処理ユニット１５０の各構成部材に指令信号を送ることによりこれらの構成部材の制御を行うようになっている。また、制御部１０２には、包装硬貨収納ユニット１８０のロック機構１８４および重量計１８６等が接続されており、重量計１８６による包装硬貨の測定結果が制御部１０２に送られるとともに、制御部１０２はロック機構１８４に指令信号を送ることにより当該ロック機構１８４の制御を行うようになっている。
【００４９】
また、図６に示すように、制御部１０２には、操作表示部１０４、通信部１０５、記憶部１０６、第１設定手段１０７、第２設定手段１０８がそれぞれ接続されている。操作表示部１０４は筐体１０１の上部に設けられたタッチパネル等からなり、操作者が操作するための操作画面や、紙幣処理ユニット１１０、硬貨処理ユニット１５０および包装硬貨収納ユニット１８０の各々に収納されている貨幣の在高に係る情報が操作表示部１０４に表示されるようになっている。また、このような操作表示部１０４において操作者は操作画面における操作ボタンに指を触れることによって制御部１０２に様々な指令を入力することができるようになっている。通信部１０５はターミナル４００やユーザーサーバー４０２に対してＬＡＮ４０４を介して様々な信号の送受信を行うことができるようになっている。また、本実施の形態では、貨幣入出金機１００は有線ＬＡＮまたは無線ＬＡＮによりサービスカウンターに設置されているＰＯＳレジスタ１９０に通信可能に接続され、通信部１０５は当該ＰＯＳレジスタ１９０に対して様々な信号の送受信を行うことができるようになっている。
【００５０】
また、記憶部１０６には、紙幣処理ユニット１１０、硬貨処理ユニット１５０および包装硬貨収納ユニット１８０の各々に収納されている貨幣の在高に係る情報や、貨幣入出金機１００における貨幣の処理履歴等の様々な情報が記憶されるようになっている。また、本実施の形態では、制御部１０２において、カセット装着部１２６に装着されている収納カセット３００から紙幣を繰り出して収納繰出部１３４、１３６または回収カセット１４０に送るか、収納繰出部１３４、１３６から紙幣を繰り出してカセット装着部１２６に装着されている収納カセット３００に送る第１処理、紙幣受入部１２０により筐体１０１の内部に投入された紙幣を収納繰出部１３４、１３６または回収カセット１４０に送る第２処理、および収納繰出部１３４、１３６から紙幣を繰り出して紙幣払出部１２２に送る第３処理がそれぞれ設定されている。そして、第１設定手段１０７は、第１処理および第２処理のうちどちらの処理を優先して行うかを設定するようになっている。また、第２設定手段１０８は、第１処理および第３処理のうちどちらの処理を優先して行うかを設定するようになっている。ここで、第１設定手段１０７により第１処理および第２処理のうち一方の処理が優先して行われることが設定されている場合には、優先して行われることが設定されていない処理が行われている間に優先して行われることが設定されている処理を割り込ませることができるようになる。また、第２設定手段１０８により第１処理および第３処理のうち一方の処理が優先して行われることが設定されている場合には、優先して行われることが設定されていない処理が行われている間に優先して行われることが設定されている処理を割り込ませることができるようになる。このような第１設定手段１０７および第２設定手段１０８の機能の詳細については後述する。
【００５１】
次に、店舗４２０のフロント領域に設けられた貨幣釣銭機２００の構成の詳細について図７を用いて簡単に説明する。図７に示すように、本実施の形態による貨幣釣銭機２００は、上下に並ぶよう配置された硬貨処理ユニット２５０および包装硬貨収納ユニット２８０と、これらの硬貨処理ユニット２５０や包装硬貨収納ユニット２８０の隣に並ぶよう配置された紙幣処理ユニット２１０とを備えており、紙幣処理ユニット２１０や硬貨処理ユニット２５０の上方にはＰＯＳレジスタ２９０が載置されるようになっている。紙幣処理ユニット２１０および硬貨処理ユニット２５０は、それぞれ、硬貨や紙幣の入出金処理を行うようになっている。また、包装硬貨収納ユニット２８０は、各金種の包装硬貨を取り出し可能に収納するようになっている。また、ＰＯＳレジスタ２９０は、貨幣釣銭機２００の管理を行う管理装置として用いられるようになっている。
【００５２】
次に、貨幣入出金機１００と貨幣釣銭機２００との間で紙幣の受け渡しを行うための収納カセット３００の構成について図８を用いて説明する。図８に示すように、収納カセット３００は略直方体形状のケーシング３０１を有しており、当該ケーシング３０１の内部に紙幣が積層状態で収納されるようになっている。また、上述したように、収納カセット３００は貨幣入出金機１００のカセット装着部１２６および貨幣釣銭機２００のカセット装着部（図示せず）にそれぞれ着脱自在に装着されるようになっている。また、収納カセット３００のケーシング３０１の側面には開口３０２が形成されており、収納カセット３００が貨幣入出金機１００のカセット装着部１２６や貨幣釣銭機２００のカセット装着部に装着されているときに、貨幣入出金機１００の紙幣処理ユニット１１０に設けられた搬送部１３０や貨幣釣銭機２００の紙幣処理ユニット２１０に設けられた搬送部（図示せず）から当該開口３０２を介して紙幣が収納カセット３００の内部に送られたり、収納カセット３００に収納されている紙幣が開口３０２を介して貨幣入出金機１００の紙幣処理ユニット１１０の搬送部１３０や貨幣釣銭機２００の紙幣処理ユニット２１０の搬送部に繰り出されたりするようになっている。
【００５３】
より詳細には、収納カセット３００の内部には、当該収納カセット３００に収納されている紙幣を開口３０２からケーシング３０１の外部に繰り出す紙幣繰出機構が設けられている。また、収納カセット３００が貨幣入出金機１００のカセット装着部１２６や貨幣釣銭機２００のカセット装着部（図示せず）に装着されているときに、貨幣入出金機１００の紙幣処理ユニット１１０側や貨幣釣銭機２００の紙幣処理ユニット２１０側から収納カセット３００の紙幣繰出機構に動力が伝達されるようになっている。このように、収納カセット３００が貨幣入出金機１００のカセット装着部１２６や貨幣釣銭機２００のカセット装着部から取り出された状態では当該収納カセット３００に収納されている紙幣をケーシング３０１の外部に繰り出させることができないため、収納カセット３００に収納されている紙幣のセキュリティ性を向上させることができる。
【００５４】
また、収納カセット３００のケーシング３０１の側面にはＩＣチップ等の記録媒体３０４が設けられている。そして、収納カセット３００が貨幣入出金機１００のカセット装着部１２６や貨幣釣銭機２００のカセット装着部（図示せず）に装着されているときに、貨幣入出金機１００のカセット装着部１２６に設けられた書込部１２８や貨幣釣銭機２００のカセット装着部に設けられた書込部（図示せず）により記録媒体３０４に様々な情報を書き込んだり、貨幣入出金機１００のカセット装着部１２６に設けられた読取部１２９や貨幣釣銭機２００のカセット装着部に設けられた読取部（図示せず）により記録媒体３０４から様々な情報を読み取ったりすることができるようになっている。
【００５５】
次に、このような構成からなる貨幣処理システム１の動作について説明する。具体的には、貨幣処理システム１の貨幣入出金機１００において貨幣の入金処理や出金処理が行われる際の動作について説明する。
【００５６】
まず、貨幣入出金機１００の紙幣処理ユニット１１０におけるカセット装着部１２６に収納カセット３００が装着されていない場合について説明する。ここで、本実施の形態では、カセット装着部１２６に収納カセット３００が装着されていない場合には、貨幣入出金機１００は、商品と引き換えに顧客から店員に手渡された貨幣（すなわち、取引に伴う貨幣）の入金処理を行うとともに、釣銭や返品される商品の代金としての貨幣（すなわち、取引に伴う貨幣）の出金処理を行うことができるような貨幣釣銭機として機能するようになる。より詳細には、紙幣処理ユニット１１０におけるカセット装着部１２６に収納カセット３００が装着されていない場合には、カセット装着部１２６に収納カセット３００が装着されていることがカセット装着検知部１２７により検知されない。このように、カセット装着部１２６に収納カセット３００が装着されていることがカセット装着検知部１２７により検知されないことに基づいて貨幣入出金機１００は貨幣釣銭機として機能するようになる。
【００５７】
貨幣入出金機１００が貨幣釣銭機として機能する場合には、当該貨幣入出金機１００に入金された貨幣の金額から、通信部１０５によりＰＯＳレジスタ１９０等の外部装置から受信した情報における売上金としての金額を差し引いた金額の貨幣を、取引に伴う釣銭や返品される商品の代金としての貨幣として紙幣処理ユニット１１０の紙幣払出部１２２や硬貨処理ユニット１５０の硬貨払出部１６６に払い出すよう紙幣処理ユニット１１０や硬貨処理ユニット１５０の各構成部材の制御が行われるようになっている。より詳細には、貨幣入出金機１００が貨幣釣銭機として用いられる場合には、サービスカウンターにおいて、顧客から店員に商品が手渡されると、店員によってＰＯＳレジスタ１９０に設けられたハンディスキャナ等により商品に付けられているバーコード等の情報が読み取られることにより商品の売上金に係る情報がＰＯＳレジスタ１９０により取得されるようになる。ここで、ＰＯＳレジスタ１９０により取得された商品の売上金に係る情報は当該ＰＯＳレジスタ１９０から貨幣入出金機１００に送信され、この情報は貨幣入出金機１００の通信部１０５により受信されるようになる。また、顧客から店員に商品の代金としての貨幣が手渡されると、店員は顧客から受け取った貨幣を紙幣処理ユニット１１０の紙幣受入口１２０ａや硬貨処理ユニット１５０の硬貨受入部１５２に投入する。そして、ＰＯＳレジスタ１９０から貨幣入出金機１００に送られた入金処理の指令に基づいて、紙幣処理ユニット１１０や硬貨処理ユニット１５０において紙幣や硬貨の入金処理が行われる。また、紙幣処理ユニット１１０や硬貨処理ユニット１５０に入金された紙幣や硬貨の合計金額が、通信部１０５により受信された商品の売上金に係る金額よりも大きい場合には、入金された紙幣や硬貨の合計金額から、売上金としての金額を差し引いた金額の紙幣や硬貨が、取引に伴う釣銭として紙幣処理ユニット１１０や硬貨処理ユニット１５０から出金される。具体的には、ＰＯＳレジスタ１９０から貨幣入出金機１００に送られた出金処理の指令に基づいて、取引に伴う釣銭としての紙幣や硬貨が紙幣処理ユニット１１０や硬貨処理ユニット１５０から出金されるようになる。
【００５８】
なお、本実施の形態では、本実施の形態による貨幣入出金機１００が貨幣釣銭機として機能する場合に、当該貨幣入出金機１００がセルフ機またはセミセルフ機として用いられるようになっていてもよい。ここで、貨幣入出金機１００がセルフ機として用いられる場合には、ＰＯＳレジスタ１９０に設けられたハンディスキャナ等により商品に付けられているバーコード等の情報を読み取る動作、および商品の代金としての貨幣を紙幣処理ユニット１１０の紙幣受入口１２０ａや硬貨処理ユニット１５０の硬貨受入部１５２に投入する動作がそれぞれ店員ではなく顧客により行われるようになる。また、貨幣入出金機１００がセミセルフ機として用いられる場合には、ＰＯＳレジスタ１９０に設けられたハンディスキャナ等により商品に付けられているバーコード等の情報を読み取る動作は店員により行われるが、商品の代金としての貨幣を紙幣処理ユニット１１０の紙幣受入口１２０ａや硬貨処理ユニット１５０の硬貨受入部１５２に投入する動作が顧客により行われるようになる。
【００５９】
次に、貨幣入出金機１００の紙幣処理ユニット１１０におけるカセット装着部１２６に収納カセット３００が装着されている場合について説明する。ここで、本実施の形態では、カセット装着部１２６に収納カセット３００が装着されている場合には、貨幣入出金機１００は、精算所に設置されている貨幣釣銭機２００から回収された店舗の売上金としての貨幣の入金処理を行うとともに、貨幣釣銭機２００に補充されるべき釣銭補充金としての貨幣の出金処理を行う出納機として機能するようになる。より詳細には、紙幣処理ユニット１１０におけるカセット装着部１２６に収納カセット３００が装着されている場合には、カセット装着部１２６に収納カセット３００が装着されていることがカセット装着検知部１２７により検知される。このように、カセット装着部１２６に収納カセット３００が装着されていることがカセット装着検知部１２７により検知されることに基づいて貨幣入出金機１００は出納機として機能するようになる。
【００６０】
本実施の形態では、貨幣釣銭機２００から回収された店舗の売上金としての貨幣の入金処理を貨幣入出金機１００が行ったり、貨幣釣銭機２００に補充されるべき釣銭補充金としての貨幣の出金処理を貨幣入出金機１００が行ったりする際に、貨幣入出金機１００と貨幣釣銭機２００との間で収納カセット３００により紙幣の受け渡しが行われるようになっている。すなわち、貨幣釣銭機２００から回収された売上金としての貨幣の入金処理を貨幣入出金機１００が行う場合には、貨幣釣銭機２００の紙幣処理ユニット２１０においてカセット装着部（図示せず）に装着されている収納カセット３００に紙幣が収納され、この収納カセット３００が貨幣釣銭機２００から取り出されて貨幣入出金機１００に運搬される。また、貨幣釣銭機２００の紙幣処理ユニット２１０においてカセット装着部に装着されている収納カセット３００に紙幣が収納されると、当該収納カセット３００に収納される紙幣に係る情報（具体的には、収納カセット３００に収納される紙幣の金種毎の枚数や合計金額等に係る情報）が、紙幣処理ユニット２１０のカセット装着部に設けられている書込部によって収納カセット３００の記録媒体３０４に書き込まれる。また、この際に、貨幣釣銭機２００が設置されるレジ番号も書込部により記録媒体３０４に書き込まれるようになる。
【００６１】
そして、貨幣釣銭機２００から貨幣入出金機１００に運搬された収納カセット３００が紙幣処理ユニット１１０のカセット装着部１２６に装着されると、当該カセット装着部１２６に収納カセット３００が装着されたことがカセット装着検知部１２７により検知される。このようなカセット装着検知部１２７による検知情報に基づいて、貨幣入出金機１００は出納機として機能するようになる。また、カセット装着部１２６に収納カセット３００が装着されたことがカセット装着検知部１２７により検知されると、収納カセット３００の記録媒体３０４に記録されている情報が読取部１２９によって読み取られる。そして、読取部１２９によって読み取られた情報に基づいて、収納カセット３００に紙幣が収納されていると判断された場合には、収納カセット３００から搬送部１３０に紙幣が繰り出され、この繰り出された紙幣は識別部１３２によりその金種等が識別された後に各収納繰出部１３４、１３６や回収カセット１４０に収納されるようになる。このようにして、貨幣釣銭機２００から回収された、店舗４２０における売上金としての紙幣が貨幣入出金機１００に収納されるようになる。
【００６２】
なお、本実施の形態では、カセット装着部１２６に収納カセット３００が装着されたことがカセット装着検知部１２７により検知され、読取部１２９によって読み取られた情報に基づいて収納カセット３００に紙幣が収納されていると判断された場合に、収納カセット３００から搬送部１３０に紙幣が自動的に繰り出されるような態様に限定されることはない。カセット装着部１２６に収納カセット３００が装着されたことがカセット装着検知部１２７により検知され、読取部１２９によって読み取られた情報に基づいて収納カセット３００に売上金としての紙幣が収納されていると判断された場合に、操作者によって操作表示部１０４により紙幣の入金処理に係る指令が入力されたりＰＯＳレジスタ１９０から通信部１０５を介して制御部１０２に紙幣の入金処理に係る指令が送信されたりすることによって収納カセット３００から搬送部１３０に売上金としての紙幣が繰り出されるようになっていてもよい。
【００６３】
また、売上金としての貨幣として硬貨や包装硬貨を貨幣釣銭機２００から回収して貨幣入出金機１００に収納させる場合には、操作者は硬貨処理ユニット２５０から出金された硬貨や包装硬貨収納ユニット２８０から取り出した包装硬貨を例えば収納ケース等に手で収納して当該収納ケースごと貨幣釣銭機２００から貨幣入出金機１００に運搬し、この収納ケースから硬貨や包装硬貨を取り出して貨幣入出金機１００の硬貨処理ユニット１５０に入金したり包装硬貨収納ユニット１８０に収納したりするようになる。このようにして、貨幣釣銭機２００から回収された、店舗４２０における売上金としての硬貨や包装硬貨が貨幣入出金機１００に収納されるようになる。
【００６４】
また、貨幣釣銭機２００に補充されるべき釣銭補充金としての貨幣の出金処理を貨幣入出金機１００が行う場合には、貨幣入出金機１００の紙幣処理ユニット１１０におけるカセット装着部１２６に空状態の収納カセット３００を装着させる。この場合には、カセット装着部１２６に収納カセット３００が装着されたことがカセット装着検知部１２７により検知される。そして、このようなカセット装着検知部１２７による検知情報に基づいて、貨幣入出金機１００は出納機として機能するようになる。また、カセット装着部１２６に収納カセット３００が装着されたことがカセット装着検知部１２７により検知されると、収納カセット３００の記録媒体３０４に記録されている情報が読取部１２９によって読み取られる。ここで、カセット装着部１２６には空状態の収納カセット３００が装着されるため、記録媒体３０４には、収納カセット３００に紙幣が収納されていない旨の情報が記録されており、このような情報が読取部１２９によって読み取られるようになる。そして、読取部１２９によって読み取られた情報に基づいて、収納カセット３００に紙幣が収納されていないと判断された場合には、紙幣処理ユニット１１０において紙幣の出金処理が行われるようになる。具体的には、各収納繰出部１３４、１３６から搬送部１３０に紙幣が繰り出され、この繰り出された紙幣は識別部１３２によりその金種等が識別された後に収納カセット３００に収納されるようになる。その後、紙幣処理ユニット１１０のカセット装着部１２６から収納カセット３００が取り出され、この取り出された収納カセット３００は貨幣入出金機１００から貨幣釣銭機２００に運搬される。そして、貨幣入出金機１００から貨幣釣銭機２００に運搬された収納カセット３００が紙幣処理ユニット２１０のカセット装着部に装着されると、紙幣処理ユニット２１０において収納カセット３００に収納されている紙幣の入金処理が行われるようになる。このようにして、貨幣釣銭機２００に釣銭準備金として補充されるべき紙幣（すなわち、釣銭補充金としての紙幣）が貨幣入出金機１００から出金されて当該貨幣釣銭機２００に収納されるようになる。
【００６５】
なお、本実施の形態では、カセット装着部１２６に収納カセット３００が装着されたことがカセット装着検知部１２７により検知され、読取部１２９によって読み取られた情報に基づいて収納カセット３００に紙幣が収納されていないと判断された場合に、各収納繰出部１３４、１３６から収納カセット３００に紙幣が自動的に送られるような態様に限定されることはない。カセット装着部１２６に収納カセット３００が装着されたことがカセット装着検知部１２７により検知され、読取部１２９によって読み取られた情報に基づいて収納カセット３００に紙幣が収納されていないと判断された場合に、操作者によって操作表示部１０４により釣銭補充金としての紙幣の出金処理に係る指令が入力されたりＰＯＳレジスタ１９０から通信部１０５を介して制御部１０２に釣銭補充金としての紙幣の出金処理に係る指令が送信されたりすることによって各収納繰出部１３４、１３６から収納カセット３００に紙幣が送られるようになっていてもよい。
【００６６】
また、貨幣釣銭機２００に釣銭準備金として補充されるべき貨幣として硬貨や包装硬貨を貨幣入出金機１００から出金させて貨幣釣銭機２００に収納させる場合には、操作者は硬貨処理ユニット１５０から出金された硬貨や包装硬貨収納ユニット１８０から取り出した包装硬貨を例えば収納ケース等に手で収納して当該収納ケースごと貨幣入出金機１００から貨幣釣銭機２００に運搬し、この収納ケースから硬貨や包装硬貨を取り出して貨幣釣銭機２００の硬貨処理ユニット２５０に入金したり包装硬貨収納ユニット２８０に収納したりするようになる。このようにして、貨幣釣銭機２００に釣銭準備金として補充されるべき硬貨や包装硬貨が貨幣入出金機１００から出金されて当該貨幣釣銭機２００に収納されるようになる。
【００６７】
また、本実施の形態では、カセット装着部１２６に収納カセット３００が装着されていることがカセット装着検知部１２７により検知されているか否かに基づいて、貨幣入出金機１００が貨幣釣銭機として機能するか出納機として機能するかが決められるような態様に限定されることはない。他の例として、操作者が所持するＩＤカードから情報を読み取るカードリーダが貨幣入出金機１００に設けられており、このようなカードリーダにより操作者が所持するＩＤカードから読み取られた情報に基づいて、貨幣入出金機１００が貨幣釣銭機として機能するか出納機として機能するかが決められるようになっていてもよい。例えば、操作者が所持するＩＤカードには操作者の権限に係る情報（具体的には、操作者が店員および管理者のいずれであるかという情報）が記憶されるようになっており、カードリーダによりＩＤカードから読み取られた情報に基づいて操作者が店員であると判別された場合には、貨幣入出金機１００は貨幣釣銭機として機能するようになる。一方、カードリーダによりＩＤカードから読み取られた情報に基づいて操作者が管理者であると判別された場合には、貨幣入出金機１００は出納機として機能するようになる。また、更に他の例として、操作者が所持する無線ＩＣタグ等のＩＣタグにレジ番号が任意で記憶されるようになっており、貨幣入出金機１００に設けられたリーダライタ等によりＩＣタグから読み取られた情報に基づいてレジ番号がＩＣタグに記憶されていると判別された場合には、貨幣入出金機１００は貨幣釣銭機として機能するようになっていてもよい。この場合には、リーダライタ等によりＩＣタグから読み取られた情報に基づいてレジ番号がＩＣタグに記憶されていないと判別された場合には、貨幣入出金機１００は出納機として機能するようになる。
【００６８】
また、本実施の形態の貨幣入出金機１００では、カセット装着部１２６に収納カセット３００が装着されていることがカセット装着検知部１２７により検知されることに基づいて貨幣入出金機１００が出納機として機能しているときに、商品の代金としての紙幣の入金処理や取引に伴う釣銭としての紙幣の出金処理を割り込ませることができるようになっていてもよい。具体的には、貨幣入出金機１００が出納機として機能している場合でも、当該貨幣入出金機１００を一時的に貨幣釣銭機として機能させたい場合がある。このような、貨幣入出金機１００が出納機として機能しているときに商品の代金としての紙幣の入金処理や取引に伴う釣銭としての紙幣の出金処理を割り込ませる動作について図９および図１０に示すフローチャートを用いて説明する。
【００６９】
上述したように、本実施の形態では、制御部１０２において、カセット装着部１２６に装着されている収納カセット３００から紙幣を繰り出して収納繰出部１３４、１３６または回収カセット１４０に送るか、収納繰出部１３４、１３６から紙幣を繰り出してカセット装着部１２６に装着されている収納カセット３００に送る第１処理、紙幣受入部１２０により筐体１０１の内部に投入された紙幣を収納繰出部１３４、１３６または回収カセット１４０に送る第２処理、および収納繰出部１３４、１３６から紙幣を繰り出して紙幣払出部１２２に送る第３処理がそれぞれ設定されている。ここで、第１処理は、貨幣入出金機１００が出納機として機能している場合に行われるようになっている。一方、第２処理および第３処理は、それぞれ、貨幣入出金機１００が貨幣釣銭機として機能している場合に行われるようになっている。また、第２処理および第３処理は、それぞれ、ＰＯＳレジスタ１９０から貨幣入出金機１００に所定の入金処理や出金処理に係る指令が送られることによって行われるようになっている。また、第１設定手段１０７は、第１処理および第２処理のうちどちらの処理を優先して行うかを設定するようになっており、第２設定手段１０８は、第１処理および第３処理のうちどちらの処理を優先して行うかを設定するようになっている。すなわち、第１設定手段１０７および第２設定手段１０８は、貨幣入出金機１００に対して、出納機の機能および貨幣釣銭機の機能のうちどちらの機能を優先して行わせるかを設定するようになっている。そして、第１設定手段１０７により第１処理および第２処理のうち一方の処理が優先して行われることが設定されている場合には、優先して行われることが設定されていない処理が行われている間に優先して行われることが設定されている処理を割り込ませることができるようになる。また、第２設定手段１０８により第１処理および第３処理のうち一方の処理が優先して行われることが設定されている場合には、優先して行われることが設定されていない処理が行われている間に優先して行われることが設定されている処理を割り込ませることができるようになる。
【００７０】
なお、本実施の形態では、第１設定手段１０７による設定は、貨幣入出金機１００を店舗４２０に導入する際にメンテナンス員等の操作者が操作表示部１０４により第１処理および第２処理のうちどちらの処理を優先して行うかを入力することにより行われるようになっている。同様に、第２設定手段１０８による設定は、貨幣入出金機１００を店舗４２０に導入する際にメンテナンス員等の操作者が操作表示部１０４により第１処理および第３処理のうちどちらの処理を優先して行うかを入力することにより行われるようになっている。なお、第１設定手段１０７や第２設定手段１０８による設定はこのような態様に限定されることはない。他の例として、操作者が貨幣入出金機１００により貨幣の処理を行う度に、貨幣入出金機１００に対して、出納機の機能および貨幣釣銭機の機能のうちどちらの機能を優先して行わせるかを操作者が操作表示部１０４やＰＯＳレジスタ１９０により入力することによって第１設定手段１０７や第２設定手段１０８による設定が行われるようになっていてもよい。
【００７１】
次に、本実施の形態による貨幣入出金機１００において、カセット装着部１２６に装着されている収納カセット３００から売上金としての紙幣を繰り出して回収カセット１４０や収納繰出部１３４、１３６に送る処理が行われている途中で、紙幣受入部１２０により筐体１０１の内部に投入された商品の代金としての紙幣を回収カセット１４０や収納繰出部１３４、１３６に送る処理が割り込まれたときの動作について図９に示すフローチャートを用いて説明する。
【００７２】
収納カセット３００に収納されている売上金としての紙幣を貨幣入出金機１００の回収カセット１４０や各収納繰出部１３４、１３６に送るような処理を行うにあたり、操作者はまず売上金としての紙幣が収納されている収納カセット３００をカセット装着部１２６に装着させる。そして、カセット装着部１２６に収納カセット３００が装着されていることがカセット装着検知部１２７により検知されると（ＳＴＥＰ１の「ＹＥＳ」）、操作表示部１０４には売上金としての紙幣を回収カセット１４０や各収納繰出部１３４、１３６に送るか否かを操作者に確認する画面が表示される。また、カセット装着部１２６に収納カセット３００が装着されていることがカセット装着検知部１２７により検知されると、ロック機構１２６ｂにより収納カセット３００が筐体１０１の内部でロックされる。そして、操作者が操作表示部１０４によって売上金としての紙幣を収納カセット３００から例えば回収カセット１４０に送る旨の指令を入力すると（ＳＴＥＰ２の「ＹＥＳ」）、カセット装着部１２６に装着されている収納カセット３００から紙幣が搬送部１３０に繰り出され、この繰り出された紙幣は識別部１３２により識別された後に回収カセット１４０に送られる（ＳＴＥＰ３）。なお、以下の説明では、売上金としての紙幣を収納カセット３００から回収カセット１４０に送る動作について述べるが、売上金としての紙幣が収納カセット３００から各収納繰出部１３４、１３６に送られる場合も同様の動作が行われるようになる。
【００７３】
そして、収納カセット３００から回収カセット１４０に紙幣を送る動作が完了する前に（ＳＴＥＰ４の「ＮＯ」）、顧客から商品の代金としての紙幣を受けとった操作者が貨幣入出金機１００の紙幣受入口１２０ａを介して紙幣受入部１２０に当該紙幣を投入すると、紙幣受入部１２０に紙幣が受け入れられたことが紙幣検知センサ１２０ｂにより検知される。その後、ＰＯＳレジスタ１９０から貨幣入出金機１００に紙幣の入金処理に係る指令が送られた場合に（ＳＴＥＰ５の「ＹＥＳ」）、第１設定手段１０７により第１処理よりも第２処理を優先して行うことが設定されているときには（ＳＴＥＰ６の「ＹＥＳ」）、収納カセット３００から回収カセット１４０に紙幣を送る動作が中断され、紙幣受入部１２０に受け入れられた紙幣を回収カセット１４０または収納繰出部１３４、１３６に送るような紙幣の入金処理が割り込まれるようになる（ＳＴＥＰ７）。すなわち、収納カセット３００から回収カセット１４０に紙幣を送る動作が中断された後、紙幣受入部１２０に受け入れられた紙幣が紙幣繰出機構１２１により１枚ずつ搬送部１３０に繰り出され、この繰り出された紙幣は識別部１３２により識別された後に回収カセット１４０または収納繰出部１３４、１３６に送られるようになる。そして、紙幣受入部１２０から回収カセット１４０または収納繰出部１３４、１３６に紙幣を送る動作が完了すると（ＳＴＥＰ８の「ＹＥＳ」）、収納カセット３００から回収カセット１４０に紙幣を１枚ずつ送る動作が再開されるようになる（ＳＴＥＰ９）。
【００７４】
なお、紙幣受入部１２０に紙幣が受け入れられたことが紙幣検知センサ１２０ｂにより検知されるとともにＰＯＳレジスタ１９０から貨幣入出金機１００に紙幣の入金処理に係る指令が送られたときに（ＳＴＥＰ５の「ＹＥＳ」）、第１設定手段１０７により第２処理よりも第１処理を優先して行うことが設定されている場合には（ＳＴＥＰ６の「ＮＯ」）、収納カセット３００から回収カセット１４０に紙幣を送る動作が引き続き行われるようになる（ＳＴＥＰ３）。そして、収納カセット３００から回収カセット１４０に紙幣を送る動作が完了すると（ＳＴＥＰ４の「ＹＥＳ」）、紙幣受入部１２０に受け入れられた紙幣が紙幣繰出機構１２１により１枚ずつ搬送部１３０に繰り出され、この繰り出された紙幣は識別部１３２により識別された後に回収カセット１４０または収納繰出部１３４、１３６に送られるようになる。
【００７５】
また、本実施の形態では、収納繰出部１３４、１３６からカセット装着部１２６に装着されている収納カセット３００に釣銭補充金としての紙幣を送る動作が行われている途中で、紙幣受入部１２０に紙幣が受け入れられたことが紙幣検知センサ１２０ｂにより検知されるとともにＰＯＳレジスタ１９０から貨幣入出金機１００に紙幣の入金処理に係る指令が送られたときに、第１設定手段１０７により第１処理よりも第２処理を優先して行うことが設定されている場合には、収納繰出部１３４、１３６から収納カセット３００に紙幣を送る動作が中断され、紙幣受入部１２０に受け入れられた紙幣を回収カセット１４０または収納繰出部１３４、１３６に送るような紙幣の入金処理が割り込まれるようになる。すなわち、各収納繰出部１３４、１３６から収納カセット３００に紙幣を送る動作が中断された後、紙幣受入部１２０に受け入れられた紙幣が紙幣繰出機構１２１により１枚ずつ搬送部１３０に繰り出され、この繰り出された紙幣は識別部１３２により識別された後に回収カセット１４０または収納繰出部１３４、１３６に送られるようになる。そして、紙幣受入部１２０から回収カセット１４０または収納繰出部１３４、１３６に紙幣を送る動作が完了すると、収納繰出部１３４、１３６から収納カセット３００に紙幣を１枚ずつ送る動作が再開されるようになる。
【００７６】
次に、本実施の形態による貨幣入出金機１００において、釣銭補充金としての紙幣を収納繰出部１３４、１３６から繰り出してカセット装着部１２６に装着されている収納カセット３００に送る処理が行われている途中で、収納繰出部１３４、１３６から釣銭としての紙幣を繰り出して紙幣払出部１２２に送る処理が割り込まれたときの動作について図１０に示すフローチャートを用いて説明する。
【００７７】
収納繰出部１３４、１３６から釣銭補充金としての紙幣を繰り出してカセット装着部１２６に装着されている収納カセット３００に送るような紙幣の出金処理を行うにあたり、操作者はまず紙幣が収納されていない収納カセット３００をカセット装着部１２６に装着させる。そして、カセット装着部１２６に収納カセット３００が装着されていることがカセット装着検知部１２７により検知されると（ＳＴＥＰ１１の「ＹＥＳ」）、操作表示部１０４には釣銭補充金としての紙幣を収納カセット３００に収納させる否かを操作者に確認する画面が表示される。また、カセット装着部１２６に収納カセット３００が装着されていることがカセット装着検知部１２７により検知されると、ロック機構１２６ｂにより収納カセット３００が筐体１０１の内部でロックされる。そして、操作者が操作表示部１０４によって釣銭補充金としての紙幣を収納カセット３００に収納させる旨の指令を入力すると（ＳＴＥＰ１２の「ＹＥＳ」）、収納繰出部１３４、１３６から紙幣が搬送部１３０に繰り出され、この繰り出された紙幣は識別部１３２により識別された後にカセット装着部１２６に装着されている収納カセット３００に送られる（ＳＴＥＰ１３）。
【００７８】
そして、収納繰出部１３４、１３６から収納カセット３００に紙幣を送る動作が完了する前に（ＳＴＥＰ１４の「ＮＯ」）、ＰＯＳレジスタ１９０から貨幣入出金機１００に取引に伴う釣銭としての紙幣の出金処理の指令が送られた場合に（ＳＴＥＰ１５の「ＹＥＳ」）、第２設定手段１０８により第１処理よりも第３処理を優先して行うことが設定されているときには（ＳＴＥＰ１６の「ＹＥＳ」）、収納繰出部１３４、１３６から収納カセット３００に紙幣を送る動作が中断され、収納繰出部１３４、１３６から紙幣払出部１２２に釣銭としての紙幣を送るような紙幣の出金処理が割り込まれるようになる（ＳＴＥＰ１７）。すなわち、収納繰出部１３４、１３６から収納カセット３００に紙幣を送る動作が中断された後、収納繰出部１３４、１３６から搬送部１３０に紙幣が１枚ずつ繰り出され、この繰り出された紙幣は識別部１３２により識別された後に紙幣払出部１２２に送られるようになる。そして、収納繰出部１３４、１３６から紙幣払出部１２２に釣銭としての紙幣を送るような紙幣の出金処理が完了すると（ＳＴＥＰ１８の「ＹＥＳ」）、収納繰出部１３４、１３６から収納カセット３００に紙幣を１枚ずつ送る動作が再開されるようになる（ＳＴＥＰ１９）。
【００７９】
なお、ＰＯＳレジスタ１９０から貨幣入出金機１００に取引に伴う釣銭としての紙幣の出金処理の指令が送られたときに（ＳＴＥＰ１５の「ＹＥＳ」）、第２設定手段１０８により第３処理よりも第１処理を優先して行うことが設定されている場合には（ＳＴＥＰ１６の「ＮＯ」）、収納繰出部１３４、１３６から収納カセット３００に釣銭補充金としての紙幣を送る動作が引き続き行われるようになる（ＳＴＥＰ１３）。そして、収納繰出部１３４、１３６から収納カセット３００に紙幣を送る動作が完了すると（ＳＴＥＰ１４の「ＹＥＳ」）、収納繰出部１３４、１３６から搬送部１３０に釣銭としての紙幣が１枚ずつ繰り出され、この繰り出された紙幣は識別部１３２により識別された後に紙幣払出部１２２に送られるようになる。
【００８０】
また、本実施の形態による貨幣入出金機１００の変形例において、第２設定手段１０８は、第１処理における収納繰出部１３４、１３６から釣銭補充金としての紙幣を繰り出してカセット装着部１２６に装着されている収納カセット３００に送る処理、および第３処理（すなわち、収納繰出部１３４、１３６から釣銭としての紙幣を繰り出して紙幣払出部１２２に送る処理）を並行して行うことを設定することができるようになっていてもよい。この場合には、収納繰出部１３４、１３６から収納カセット３００に紙幣を送る動作が完了する前に、ＰＯＳレジスタ１９０から貨幣入出金機１００に取引に伴う釣銭としての紙幣の出金処理の指令が送られた場合に、収納繰出部１３４、１３６から釣銭補充金としての紙幣を繰り出してカセット装着部１２６に装着されている収納カセット３００に送る処理および収納繰出部１３４、１３６から釣銭としての紙幣を繰り出して紙幣払出部１２２に送る処理が並行して行われるようになり、紙幣の全体の処理にかかる時間を短縮することができるようになる。
【００８１】
また、本実施の形態では、カセット装着部１２６に装着されている収納カセット３００から回収カセット１４０や収納繰出部１３４、１３６に売上金としての紙幣を送る動作が行われている途中で、ＰＯＳレジスタ１９０から貨幣入出金機１００に紙幣の出金処理に係る指令が送られたときに、第２設定手段１０８により第１処理よりも第３処理を優先して行うことが設定されている場合には、収納カセット３００から回収カセット１４０や収納繰出部１３４、１３６に紙幣を送る動作が中断され、収納繰出部１３４、１３６から紙幣払出部１２２に紙幣を送るような紙幣の出金処理が割り込まれるようになる。すなわち、収納カセット３００から回収カセット１４０や収納繰出部１３４、１３６に紙幣を送る動作が中断された後、収納繰出部１３４、１３６から紙幣が搬送部１３０に１枚ずつ繰り出され、この繰り出された紙幣は識別部１３２により識別された後に紙幣払出部１２２に送られるようになる。そして、収納繰出部１３４、１３６から紙幣払出部１２２に紙幣を送る動作が完了すると、収納カセット３００から回収カセット１４０や収納繰出部１３４、１３６に紙幣を１枚ずつ送る動作が再開されるようになる。
【００８２】
また、本実施の形態による貨幣入出金機１００では、カセット装着部１２６に装着されている収納カセット３００から回収カセット１４０や収納繰出部１３４、１３６に売上金としての紙幣を送る動作が中断された場合には、ロック機構１２６ｂによる当該収納カセット３００のロックが解除されず、操作者は筐体１０１から収納カセット３００を取り出すことができないようになっている。一方、収納繰出部１３４、１３６からカセット装着部１２６に装着されている収納カセット３００に釣銭補充金としての紙幣を送る動作が中断された場合には、ロック機構１２６ｂによる当該収納カセット３００のロックが解除され、操作者は筐体１０１から収納カセット３００を取り出すことができるようになる。また、収納繰出部１３４、１３６からカセット装着部１２６に装着されている収納カセット３００に釣銭補充金としての紙幣を送る動作が中断された場合には、中断前に収納繰出部１３４、１３６から収納カセット３００に送られた紙幣に係る情報（具体的には、中断前に収納繰出部１３４、１３６から収納カセット３００に送られた紙幣の金種毎の枚数や合計金額等の情報）が書込部１２８により当該収納カセット３００に設けられている記録媒体３０４に書き込まれる。このことにより、収納繰出部１３４、１３６からカセット装着部１２６に装着されている収納カセット３００に釣銭補充金としての紙幣を送る動作が中断された場合に、操作者は収納カセット３００を筐体１０１から取り出して貨幣釣銭機２００に運搬することにより当該貨幣釣銭機２００の紙幣処理ユニット２１０に釣銭補充金としての紙幣を収納させることができるようになる。また、紙幣処理ユニット２１０に設けられた読取部によって収納カセット３００に設けられている記録媒体３０４から情報を読み取ることにより、収納カセット３００から繰り出されて貨幣釣銭機２００の紙幣処理ユニット２１０に補充された紙幣の情報を貨幣釣銭機２００側で取得することができるようになる。
【００８３】
以上のような構成からなる本実施の形態の貨幣入出金機１００によれば、収納されている貨幣（具体的には、紙幣）を繰出可能な収納繰出部１３４、１３６と、店舗の売上金として回収される貨幣（具体的には、紙幣）を収納する回収部としての回収カセット１４０とがそれぞれ設けられている。このように、店舗の売上金として回収される貨幣を収納する回収部として回収カセット１４０が設けられているため、貨幣入出金機１００がフロント領域に設置された場合に、従来のフロント領域に設置される貨幣釣銭機として使用するとともに、従来のバックヤード領域に設置される出納機として使用することができるようになる。
【００８４】
また、本実施の形態の貨幣入出金機１００およびこのような貨幣入出金機１００を備えた貨幣処理システム１においては、上述したように、カセット装着部１２６に装着されている収納カセット３００（貨幣収納カセット）から紙幣を繰り出して収納繰出部１３４、１３６または回収カセット１４０に送るか、収納繰出部１３４、１３６から紙幣を繰り出してカセット装着部１２６に装着されている収納カセット３００に送る第１処理、および紙幣受入部１２０（投入部）により筐体１０１の内部に投入された紙幣を収納繰出部１３４、１３６または回収カセット１４０に送る第２処理のうちどちらの処理を優先して行うかを設定する第１設定手段１０７が設けられている。この場合には、貨幣入出金機１００に対して、出納機としての機能および貨幣釣銭機としての機能のうちどちらの機能を優先させるかを設定することができるようになる。このため、例えば第１設定手段１０７により第２処理を優先して行うことが設定されているときには、本実施の形態による貨幣入出金機１００を出納機として使用している途中で商品の代金としての紙幣の入金処理を行うために貨幣釣銭機として使用しなければならなくなった場合に出納機の機能を中断して貨幣釣銭機としての機能を発揮させることができるようになるため、顧客を長時間待たせてしまうことを防止することができるようになる。
【００８５】
また、第１設定手段１０７により第１処理および第２処理のうち一方の処理が優先して行われることが設定されている場合は、優先して行われることが設定されていない処理が行われている間に優先して行われることが設定されている処理を割り込ませることができるようになっている。また、第２処理は、ＰＯＳレジスタ１９０等の外部から貨幣入出金機１００に送られた所定の入金処理に係る指令に基づいて行われるようになっており、第１設定手段１０７により第２処理を優先して行うことが設定されている場合には、第１処理が行われている間に、外部から貨幣入出金機１００に所定の入金処理に係る指令が送られると、第１処理が中断されて第２処理が行われるようになっている。
【００８６】
また、本実施の形態の貨幣入出金機１００およびこのような貨幣入出金機１００を備えた貨幣処理システム１においては、上述したように、カセット装着部１２６に装着されている収納カセット３００から紙幣を繰り出して収納繰出部１３４、１３６または回収カセット１４０に送るか、収納繰出部１３４、１３６から紙幣を繰り出してカセット装着部１２６に装着されている収納カセット３００に送る第１処理、および収納繰出部１３４、１３６から紙幣を繰り出して紙幣払出部１２２（投出部）に送る第３処理のうちどちらの処理を優先して行うかを設定する第２設定手段１０８が設けられている。この場合には、貨幣入出金機１００に対して、出納機としての機能および貨幣釣銭機としての機能のうちどちらの機能を優先させるかを設定することができるようになる。このため、例えば第１設定手段１０７により第３処理を優先して行うことが設定されているときには、本実施の形態による貨幣入出金機１００を出納機として使用している途中で釣銭や返品される商品の代金としての紙幣の出金処理を行うために貨幣釣銭機として使用しなければならなくなった場合に出納機の機能を中断して貨幣釣銭機としての機能を発揮させることができるようになるため、顧客を長時間待たせてしまうことを防止することができるようになる。
【００８７】
また、第２設定手段１０８により第１処理および第３処理のうち一方の処理が優先して行われることが設定されている場合は、優先して行われることが設定されていない処理が行われている間に優先して行われることが設定されている処理を割り込ませることができるようになっている。また、第３処理は、ＰＯＳレジスタ１９０等の外部から貨幣入出金機１００に送られた所定の入金処理に係る指令に基づいて行われるようになっており、第２設定手段１０８により第３処理を優先して行うことが設定されている場合には、第１処理が行われている間に、外部から貨幣入出金機１００に所定の出金処理に係る指令が送られると、第１処理が中断されて第３処理が行われるようになっている。また、本実施の形態による貨幣入出金機１００では、第２設定手段１０８は、第１処理における収納繰出部１３４、１３６から紙幣を繰り出してカセット装着部１２６に装着されている収納カセット３００に送る処理、および第３処理を並行して行うことを設定することができるようになっている。このように貨幣入出金機１００において第１処理および第３処理を並行して行った場合には、紙幣の全体の処理にかかる時間を短縮することができるようになる。
【００８８】
なお、本実施の形態による貨幣入出金機１００やこのような貨幣入出金機１００を備えた貨幣処理システム１は、上述したような態様に限定されることはなく、様々な変更を加えることができる。
【００８９】
例えば、本実施の形態による貨幣処理システム１において、第１設定手段１０７や第２設定手段１０８が貨幣入出金機１００に設けられる代わりにＰＯＳレジスタ１９０に設けられるようになっていてもよい。この場合には、貨幣入出金機１００の制御部１０２は、ＰＯＳレジスタ１９０から送信された、第１設定手段１０７や第２設定手段１０８による設定情報に基づいて、優先して行われることが設定されていない処理が行われている間に優先して行われることが設定されている処理を割り込ませることができるようになる。
【００９０】
また、貨幣入出金機１００がセルフ機またはセミセルフ機として用いられる場合には、紙幣処理ユニットとして、収納カセット３００が着脱自在に装着されるカセット装着部１２６や、回収カセット１４０の扉１４０ａが筐体１０１の前面側ではなく背面側（すなわち、図３における左側）に設けられているものが用いられてもよい。この場合には、筐体１０１の背面側から収納カセット３００や回収カセット１４０を筐体１０１の外部に取り出したり当該筐体１０１の内部に収容したりすることができるようになる。このような構成の紙幣処理ユニットによれば、例えば顧客は筐体１０１の前面側に設けられた紙幣受入部１２０に紙幣を投入したり紙幣払出部１２２に払い出された紙幣を取り出したりすることができる一方、店員は筐体１０１の背面側から収納カセット３００や回収カセット１４０を筐体１０１の外部に取り出したり当該筐体１０１の内部に収容したりすることができるようになる。
【００９１】
また、更に別の変形例において、硬貨の収納および収納されている硬貨の繰り出しを行う硬貨収納カセットが貨幣入出金機１００および貨幣釣銭機２００にそれぞれ着脱自在に装着されるようになっていてもよい。この場合には、貨幣入出金機１００と貨幣釣銭機２００との間でこのような硬貨収納カセットにより硬貨の受け渡しを行うことができるようになるため、貨幣釣銭機２００から回収された売上金としての硬貨や貨幣入出金機１００から出金された貨幣釣銭機２００に釣銭補充金として補充されるべき硬貨を操作者の手に触れさせないようにすることができるためセキュリティ性を高めることができる。また、このような硬貨の収納を行う硬貨収納カセットに上記の記録媒体３０４を設けるようにしてもよい。また、収納されている硬貨を繰出可能な硬貨収納カセットが着脱自在に装着されるカセット装着部が硬貨処理ユニット１５０に設けられる場合には、第１設定手段１０７は、カセット装着部に装着されている硬貨収納カセットから硬貨を繰り出して収納繰出部１６０または回収カセット１７０に送るか、収納繰出部１６０から硬貨を繰り出してカセット装着部に装着されている硬貨収納カセットに送る第１処理、および硬貨受入部１５２（投入部）により筐体１０１の内部に投入された硬貨を収納繰出部１６０または回収カセット１７０に送る第２処理のうちどちらの処理を優先して行うかを設定することができるようになる。また、このような硬貨処理ユニット１５０によれば、第２設定手段１０８は、カセット装着部に装着されている硬貨収納カセットから硬貨を繰り出して収納繰出部１６０または回収カセット１７０に送るか、収納繰出部１６０から硬貨を繰り出してカセット装着部に装着されている硬貨収納カセットに送る第１処理、および収納繰出部１６０から硬貨を繰り出して硬貨払出部１６６（投出部）に送る第３処理のうちどちらの処理を優先して行うかを設定することができるようになる。
【符号の説明】
【００９２】
１        貨幣処理システム
１００    貨幣入出金機
１０１    筐体
１０２    制御部
１０４    操作表示部
１０５    通信部
１０６    記憶部
１０７    第１設定手段
１０８    第２設定手段
１１０    紙幣処理ユニット
１２０    紙幣受入部
１２０ａ  紙幣受入口
１２０ｂ  紙幣検知センサ
１２１    紙幣繰出機構
１２２    紙幣払出部
１２２ａ  紙幣取出口
１２４    出金リジェクト部
１２６    カセット装着部
１２６ａ  扉
１２６ｂ  ロック機構
１２７    カセット装着検知部
１２８    書込部
１２９    読取部
１３０    搬送部
１３０ａ  周回搬送部
１３０ｂ  接続搬送部
１３２    識別部
１３４、１３６  収納繰出部
１３４ａ、１３６ａ  紙幣繰出機構
１４０    回収カセット
１４０ａ  扉
１５０    硬貨処理ユニット
１５２    硬貨受入部
１５３    硬貨繰出機構
１５４    入金搬送部
１５６    識別部
１５８    第１分岐部
１６０    収納繰出部
１６２    出金搬送部
１６４    第２分岐部
１６６    硬貨払出部
１７０    回収カセット
１７０ａ  扉
１８０    包装硬貨収納ユニット
１８０ａ〜１８０ｆ  収納領域
１８２    引出部
１８４    ロック機構
１８６    重量計
１９０    ＰＯＳレジスタ
２００    貨幣釣銭機
２１０    紙幣処理ユニット
２５０    硬貨処理ユニット
２８０    包装硬貨収納ユニット
２９０    ＰＯＳレジスタ
３００    収納カセット
３０１    ケーシング
３０２    開口
３０４    記録媒体
４００    ターミナル
４０２    ユーザーサーバー
４１０    警送会社
４２０    店舗
【図１】
2018101188.tif 000003
【図２】
2018101188.tif 000004
【図３】
2018101188.tif 000005
【図４】
2018101188.tif 000006
【図５】
2018101188.tif 000007
【図６】
2018101188.tif 000008
【図７】
2018101188.tif 000009
【図８】
2018101188.tif 000010
【図９】
2018101188.tif 000011
【図１０】
2018101188.tif 000012